(57)【要約】【課題】電力契約に応じたユーザーの要求に合わせつつ太陽光発電設備から得られる電力を有効に利用することが可能な給湯機を提供する。【解決手段】貯湯式給湯機は、太陽光発電設備と系統電力設備のそれぞれに接続され、これらの設備から供給される電力によって水を加熱して湯を生成する加熱手段と、生成された湯を貯留する貯湯タンクと、を備えている。貯湯式給湯機は、昼間時間帯に太陽光発電設備から供給される電力を用いた昼間沸き上げ運転と、夜間時間帯に系統電力設備から供給される電力を用いた夜間沸き上げ運転と、を行う制御装置を備えている。制御装置は、昼間沸き上げ運転よりも夜間沸き上げ運転を優先する夜間時間帯優先モードが設定されている場合に、夜間時間帯優先モードが設定されていない場合に比べて、夜間沸き上げ運転の沸き上げ量を多くする。【選択図】図２
2018204819.tif 000002
【特許請求の範囲】
【請求項１】
太陽光発電設備と系統電力設備のそれぞれに接続され、前記太陽光発電設備又は前記系統電力設備から供給される電力によって水を加熱して湯を生成する加熱手段と、前記加熱手段により生成された湯を貯留する貯湯タンクと、を備えた貯湯式給湯機において、
前記加熱手段により湯を生成して前記貯湯タンク内に貯える沸き上げ運転として、昼間時間帯に前記太陽光発電設備から供給される電力を用いた昼間沸き上げ運転と、夜間時間帯に前記系統電力設備から供給される電力を用いた夜間沸き上げ運転と、を行う制御装置を備え、
前記制御装置は、電力契約に対応するモードを設定する設定手段を含み、
前記設定手段によって前記昼間沸き上げ運転よりも前記夜間沸き上げ運転を優先する夜間時間帯優先モードが設定されている場合には、前記夜間時間帯優先モードが設定されていない場合に比べて、前記夜間沸き上げ運転の沸き上げ量を多くする通常モードを実行するように構成されていることを特徴とする貯湯式給湯機。
【請求項２】
前記制御装置は、前記太陽光発電設備が発電する電力のうちで前記昼間沸き上げ運転に用いることのできる電力である余剰電力の翌日の有無を予測する予測手段を更に含み、前記夜間時間帯優先モードが設定されていない場合において、前記予測手段によって翌日の余剰電力があると予測された場合には、前記翌日の余剰電力がないと予測された場合に比べて、前記夜間沸き上げ運転の沸き上げ量を少なくするように構成されていることを特徴とする請求項１に記載の貯湯式給湯機。
【請求項３】
前記制御装置は、前記夜間時間帯優先モードが設定されていない場合において、前記翌日の余剰電力がないと予測された場合には、前記夜間沸き上げ運転の沸き上げ量を前記夜間時間帯優先モードが設定されている場合と同量とするように構成されていることを特徴とする請求項２に記載の貯湯式給湯機。
【請求項４】
前記制御装置は、前記夜間時間帯優先モードが設定されている場合には、前記夜間時間帯優先モードが設定されてない場合に比べて、前記昼間沸き上げ運転の沸き上げ量を少なくするように構成されていることを特徴とする請求項１から請求項３の何れか１項に記載の貯湯式給湯機。
【請求項５】
前記制御装置は、前記夜間時間帯優先モードが設定されている場合には、前記昼間沸き上げ運転を禁止するように構成されていることを特徴とする請求項１から請求項３の何れか１項に記載の貯湯式給湯機。
【請求項６】
前記制御装置は、前記太陽光発電設備が発電する電力のうちで前記昼間沸き上げ運転に用いることのできる電力である余剰電力の利用の許可又は禁止を選択する選択手段と、
前記余剰電力の利用が許可されている場合において、前記夜間時間帯優先モードの設定有無に応じて前記余剰電力の利用可否を報知する報知手段と、
を含むことを特徴とする請求項１から請求項５の何れか１項に記載の貯湯式給湯機。
【請求項７】
前記制御装置は、前記通常モードの実行を有効とするか無効とするかを切り替える切替手段を含むことを特徴とする請求項１から請求項６の何れか１項に記載の貯湯式給湯機。
【発明の詳細な説明】
【技術分野】
【０００１】
本発明は、貯湯式給湯機に関する。
【背景技術】
【０００２】
従来、ヒートポンプなどの加熱手段により加熱された湯を貯湯タンクに貯え、貯湯タンクから取り出した湯を用いて、浴槽等の給湯先に給湯する貯湯式給湯機が広く用いられている。
【０００３】
例えば特許文献１には、太陽光発電設備からの電力を用いて沸き上げ運転を行なうことが可能な給湯システムが開示されている。このシステムでは、太陽光発電設備が昼間の時間帯に発電する電力のうちで沸き上げ運転に用いることのできる電力である余剰電力の翌日の値が予測される。そして、予測された翌日の余剰電力が多い場合には、当該余剰電力が少ない場合に比べて、系統電力設備からの電力を用いた夜間の沸き上げ運転の沸き上げ量が少なくされる。
【先行技術文献】
【特許文献】
【０００４】
【特許文献１】特開２０１３−１４８２８７号公報
【発明の概要】
【発明が解決しようとする課題】
【０００５】
電力契約の内容によっては、夜間の沸き上げ運転が減ることによってユーザーが不利益を受けることも想定される。上述した特許文献１の技術では、太陽光発電設備によって得られた電力を利用した沸き上げ運転によって多量の湯が沸き上げられると、夜間の沸き上げ運転の沸き上げ量が少なくなってしまう。このため、上述した特許文献１の技術では、必ずしもユーザーの要求に合致した沸き上げ運転となるとは限らない。
【０００６】
本発明は、上述のような課題を解決するためになされたもので、電力契約の内容に応じたユーザーの要求に合わせつつ太陽光発電設備から得られる電力を有効に利用することが可能な貯湯式給湯機を提供することを目的とする。
【課題を解決するための手段】
【０００７】
本発明に係る貯湯式給湯機は、太陽光発電設備と系統電力設備のそれぞれに接続され、太陽光発電設備又は系統電力設備から供給される電力によって水を加熱して湯を生成する加熱手段と、加熱手段により生成された湯を貯留する貯湯タンクと、を備えた貯湯式給湯機において、加熱手段により湯を生成して貯湯タンク内に貯える沸き上げ運転として、昼間時間帯に太陽光発電設備から供給される電力を用いた昼間沸き上げ運転と、夜間時間帯に系統電力設備から供給される電力を用いた夜間沸き上げ運転と、を行う制御装置を備え、制御装置は、電力契約に対応するモードを設定する設定手段を含み、設定手段によって昼間沸き上げ運転よりも夜間沸き上げ運転を優先する夜間時間帯優先モードが設定されている場合には、夜間時間帯優先モードが設定されていない場合に比べて、夜間沸き上げ運転の沸き上げ量を多くする通常モードを実行するように構成されているものである。
【発明の効果】
【０００８】
本発明の貯湯式給湯機によれば、太陽光発電設備からの電力を用いた昼間沸き上げ運転よりも系統発電設備からの電力を用いた夜間沸き上げ運転を優先する夜間時間帯優先モードが設定されている場合には、当該夜間時間帯優先モードが設定されていない場合に比べて、夜間沸き上げ運転による沸き上げ量が多くされる。これにより、電力契約の内容に応じたユーザーの要求に合わせつつ太陽光発電設備から得られる電力を有効に利用することが可能となる。
【図面の簡単な説明】
【０００９】
【図１】実施の形態１の貯湯式給湯機を示す構成図である。
【図２】実施の形態１の貯湯式給湯機において実行されるルーチンを示すフローチャートである。
【発明を実施するための形態】
【００１０】
以下、図面を参照して実施の形態について説明する。なお、各図において共通する要素には、同一の符号を付して、重複する説明を省略する。
【００１１】
実施の形態１．
図１は、実施の形態１の貯湯式給湯機を示す構成図である。図１に示すように、本実施の形態１の貯湯式給湯機３５は、タンクユニット３３と、ヒートポンプサイクルを利用するように構成されたヒートポンプユニット７とを備えている。ヒートポンプユニット７とタンクユニット３３との間は、ヒートポンプ往き配管１４、ヒートポンプ戻り配管１５及び図示しない電気配線を介して接続されている。また、タンクユニット３３には、貯湯式給湯機３５の運転動作を制御する制御装置３６が内蔵されている。制御装置３６は、例えばマイクロコンピュータ等により構成されている。制御装置３６は、ＲＯＭ、ＲＡＭ、不揮発性メモリ等を含む記憶手段としての記憶部と、記憶部に記憶されたプログラムに基づいて演算処理を実行する演算処理装置（ＣＰＵ）と、演算処理装置に対して外部の信号を入出力する入出力ポートとを備える。タンクユニット３３及びヒートポンプユニット７が備える各種の弁類、ポンプ類、センサ類は、制御装置３６に電気配線を介して接続されている。制御装置３６は、リモコン４４及び通信アダプタ４６と相互に通信可能に接続されている。
【００１２】
リモコン４４には、図示を省略するが、貯湯式給湯機３５の状態等の情報を表示する表示部、ユーザーが操作するスイッチ等の操作部、スピーカ、及びマイク等が搭載されている。通信アダプタ４６は、外部機器との通信機能を有している。通信アダプタ４６は、図示しない外部通信回線を介して気象予測情報を受信することができる。また、通信アダプタ４６は、エネルギー管理装置４８と無線又は有線にて相互に通信可能に接続されている。エネルギー管理装置４８は、太陽光発電パネルで構成される太陽光発電設備４７と接続されている。エネルギー管理装置４８は、太陽光発電設備４７の太陽光発電量及び家庭内の使用電力量を常時取得して保存している。通信アダプタ４６は、エネルギー管理装置４８に保存されているこれらの情報を受信することができる。通信アダプタ４６が受信した情報は制御装置３６に送信される。
【００１３】
次に、貯湯式給湯機３５の各構成要素について説明する。ヒートポンプユニット７は、タンクユニット３３から導かれた水を加熱する加熱手段として機能する。ヒートポンプユニット７は、圧縮機１、水冷媒熱交換器３、膨張弁４、空気熱交換器６を冷媒循環配管５にて環状に接続し、ヒートポンプサイクルを構成している。水冷媒熱交換器３は、冷媒とタンクユニット３３から導かれた水との間で熱交換を行う。
【００１４】
タンクユニット３３には、以下の各種部品及び配管などが内蔵されている。貯湯タンク８は、上側が高温で下側が低温になる温度成層を形成して湯水を貯留する。貯湯タンク８の下部に設けられた水導入口８ａには、市水である低温水を供給する給水管路９の第三給水配管９ｃが接続されている。給水管路９については後述する。貯湯タンク８の上部には、温水導入出口８ｄが設けられている。温水導入出口８ｄには、貯湯タンク８に貯留した湯を給湯機外部へ供給するための給湯配管２１が接続されている。貯湯タンク８には、ヒートポンプユニット７を用いて加熱された高温水がタンク上部から流入し、第三給水配管９ｃを介して低温水がタンク下部に流入することにより、貯湯タンク８内の上部と下部で温度差が生じるように湯水が貯留される。貯湯タンク８内の湯水の温度分布を検知するため、貯湯タンク８の表面には、高さの異なる位置に複数の温度センサが設置される。本実施の形態１では、貯湯タンク８の上部領域及び下部領域に温度サーミスタ４２，４３が高さを変えて配置されている。制御装置３６は、貯湯タンク８に取り付けられたこれらの温度サーミスタにより取得された温度分布に基づいて、貯湯タンク８内の残湯量、つまり貯湯タンク８内に蓄えられた沸き上げ熱量を把握する。
【００１５】
また、タンクユニット３３内には、循環ポンプ１２及びふろ用熱交換器２０が内蔵されている。循環ポンプ１２は、後述する各種配管に湯水を循環させるためのポンプである。ふろ用熱交換器２０は、貯湯タンク８またはヒートポンプユニット７から供給される高温水を利用して、２次側の加熱対象流体を加熱するための熱交換器である。なお、本実施の形態１では、ふろ用熱交換器２０の２次側の構成として、浴槽３０内の湯水を循環させるふろ往き配管２７及びふろ戻り配管２８を例に挙げて説明する。ふろ用熱交換器２０は、ふろ往き配管２７及びふろ戻り配管２８を介して浴槽３０と接続され、これらにより循環経路が形成されている。ふろ戻り配管２８の途中には、浴槽水を循環させるためのふろ循環ポンプ２９と、浴槽３０から出た浴槽水の温度を検知するためのふろ戻り温度サーミスタ３８とが設置されている。ふろ往き配管２７の途中には、ふろ用熱交換器２０から出た熱交換後の浴槽水の温度を検知するためのふろ往き温度サーミスタ３７が設置されている。
【００１６】
次に、タンクユニット３３が備える弁類及び配管類について説明する。タンクユニット３３は、三方弁１１及び四方弁１８を有している。三方弁１１は、湯水が流入する２つの入口であるａポート及びｂポートと、湯水が流出する１つの出口であるｃポートとを有する流路切り替え手段であり、ａポートもしくはｂポートのどちらかから湯水が流入するように湯水の経路を切り替え可能に構成されている。四方弁１８は、湯水が流入する２つの入口であるｂポート及びｃポートと、湯水が流出する２つの出口であるａポート及びｄポートとを有している。四方弁１８は、４つの経路、すなわち、ａ−ｂ経路、ａ−ｃ経路、ｂ−ｄ経路、ｃ−ｄ経路の間で流路形態を切り替え可能に構成されている。
【００１７】
また、タンクユニット３３は、水導出口配管１０と、送湯配管１３と、第一バイパス配管１６と、第二バイパス配管１７と、熱源側回路を構成する温水導入配管２０ａ及び温水導出配管２０ｂとを有している。
【００１８】
水導出口配管１０は、貯湯タンク８の水導出口８ｂと三方弁１１のａポートとを接続する流路である。送湯配管１３は、四方弁１８のｄポートと、貯湯タンク８の上部の温水導入出口８ｄとを接続する流路である。前述したヒートポンプ往き配管１４は、三方弁１１のｃポートとヒートポンプユニット７の入口側とを接続する流路であり、ヒートポンプ戻り配管１５は、ヒートポンプユニット７の出口側と四方弁１８のｃポートとを接続する流路である。ヒートポンプ往き配管１４の途中に循環ポンプ１２が配置されている。第一バイパス配管１６は、四方弁１８のａポートと、貯湯タンク８の高さ方向の中央部から下部の間に設けられた温水導入口８ｃとを接続する流路である。第二バイパス配管１７は、ヒートポンプ往き配管１４の途中に設けられた循環ポンプ１２とヒートポンプユニット７の入り口側との間から分岐し、四方弁１８のｂポートに接続される流路である。温水導入配管２０ａは、送湯配管１３の途中から分岐し、ふろ用熱交換器２０の１次側入口に接続される流路である。温水導出配管２０ｂは、ふろ用熱交換器２０の１次側出口と三方弁１１のｂポートとを接続する流路である。
【００１９】
タンクユニット３３は、さらに、第一給水配管９ａ、第二給水配管９ｂ、給湯用混合弁２２、ふろ用混合弁２３、第一給湯配管２４、及び第二給湯配管２５を有している。第一給水配管９ａの一端は水道等の水源に接続され、第一給水配管９ａの他端には減圧弁３１を介して第二給水配管９ｂ及び第三給水配管９ｃが接続されている。第一給水配管９ａ、第二給水配管９ｂ及び第三給水配管９ｃによって給水管路９が構成されている。第二給水配管９ｂは、途中から分岐して給湯用混合弁２２及びふろ用混合弁２３にそれぞれ接続されている。また、給湯配管２１は、途中から分岐して給湯用混合弁２２及びふろ用混合弁２３にそれぞれ接続されている。第二給湯配管２５の途中には、第二給湯配管２５を開閉するふろ用電磁弁２６と、第二給湯配管２５を通る湯の流量を検出するふろ用流量センサ４５とが設けられている。
【００２０】
給湯用混合弁２２及びふろ用混合弁２３は、給湯配管２１から供給される高温水と、第二給水配管９ｂから供給される低温水との流量比を調整する。これにより、ユーザーが設定した設定温度の湯を生成し、第一給湯配管２４及び第二給湯配管２５にそれぞれ流入させる。給湯用混合弁２２で温度調整された湯は、第一給湯配管２４から図示しないシャワー、カラン等の蛇口に供給される。一方、ふろ用混合弁２３で温度調整された湯は、第二給湯配管２５からふろ用電磁弁２６、ふろ往き配管２７、ふろ戻り配管２８を経て浴槽３０に供給される。
【００２１】
図１に示す貯湯式給湯機３５の制御装置３６は、沸き上げ運転を実行する機能を備えている。沸き上げ運転は、ヒートポンプユニット７を利用して沸き上げた湯を貯湯タンク８内に貯える運転のことである。この沸き上げ運転時には、ヒートポンプユニット７および循環ポンプ１２を稼動させる。また、三方弁１１は、ａポートがｃポートに連通し、ｂポートが閉状態となるように制御される。また、四方弁１８は、ｃポートがｄポートに連通し、ａポート及びｂポートが閉状態となるように制御される。沸き上げ運転では、循環ポンプ１２により、貯湯タンク８の水導出口８ｂから導出された水が、水導出口配管１０、三方弁１１、ヒートポンプ往き配管１４を通ってヒートポンプユニット７内の水冷媒熱交換器３に送られる。そして、ヒートポンプユニット７内の水冷媒熱交換器３で加熱された高温水が、ヒートポンプ戻り配管１５、四方弁１８、送湯配管１３を通り、温水導入出口８ｄから貯湯タンク８に流入する。このような沸き上げ運転が実行されることで、貯湯タンク８の内部では、上層部から高温水が貯えられていき、この高温水層が徐々に厚くなる。
【００２２】
また、図１に示す貯湯式給湯機３５は、沸き上げ運転に用いる電力、すなわちヒートポンプユニット７及び循環ポンプ１２を運転するための電力の供給源として、上述した太陽光発電設備４７と図示しない系統電力設備に接続されている。制御装置３６は、沸き上げ運転に用いる電力を、太陽光発電設備４７から供給するか、系統電力設備から供給するかを切り替える機能を備えている。
【００２３】
次に、実施の形態１の貯湯式給湯機３５の特徴的動作について説明する。系統電力設備の電力料金体系には、時間帯別に異なる単価が設定されているものがある。電力料金が安価な夜間時間帯と電力料金が夜間時間帯よりも高価な昼間時間帯とが存在する電力料金体系のもとでは、夜間時間帯の範囲で沸き上げ運転を行うことが好ましい。以下、夜間時間帯に系統電力設備からの電力を用いた沸き上げ運転を、「夜間沸き上げ運転」と称する。夜間沸き上げ運転では、翌日に必要とされる必要湯量が貯えられるまで沸き上げ運転が行なわれる。
【００２４】
一方、電力供給源として太陽光発電設備４７を備えた貯湯式給湯機３５では、昼間時間帯に太陽光発電設備４７で発電された電力の利用が期待できる。このため、昼間時間帯に太陽光発電設備４７が発電する電力のうちで沸き上げ運転に用いることのできる余剰電力がある場合には、昼間時間帯に系統電力設備からの電力を用いることなく沸き上げ運転を行うことができる。以下、昼間時間帯に太陽光発電設備４７からの余剰電力を用いた沸き上げ運転を、「昼間沸き上げ運転」と称する。昼間沸き上げ運転では、当日の余剰電力の利用の範囲内で貯湯タンク８が満量となるまで又は予め定められた湯量となるまで沸き上げ運転が行なわれる。
【００２５】
ここで、昼間沸き上げ運転によって沸き上げられる湯量が多量となると、夜間沸き上げ運転において必要とされる沸き上げ量が減少する。ユーザーが締結している電力契約によっては、夜間沸き上げ運転が減ることによる不利益が発生することも想定される。
【００２６】
そこで、実施の形態１の貯湯式給湯機３５の制御装置３６は、現在設定されている電力契約に応じて、夜間沸き上げ運転を優先するか昼間沸き上げ運転を優先するかを設定する設定手段を備えている。より詳しくは、貯湯式給湯機３５の制御装置３６は、現在の電力契約に対応する電力契約モードを設定するための手段を備えている。このような手段としては、例えば、ユーザー又は施工者がリモコン４４を操作して該当する電力契約モードを選択或いは入力するための構成を備えることにより実現することができる。また、制御装置３６が、通信アダプタ４６から外部通信回線を経由して該当する電力契約モードを取得する構成を採用することもできる。
【００２７】
制御装置３６には、沸き上げ運転の実施態様として、夜間沸き上げ運転を優先する通常モードと昼間沸き上げ運転を優先する余剰電力活用モードとが記憶されている。制御装置３６は、過去の使用湯量の履歴に基づいて、翌日に必要とされる必要湯量を予測する予測手段を備えている。通常モードでは、この予測手段によって翌日に必要とされる必要湯量が予測される。例えば、制御装置３６は、過去２週間の使用湯量の最大値を必要湯量として予測する。そして、通常モードでは、翌日の余剰電力の有無にかかわらず、夜間沸き上げ運転によって必要湯量の湯が沸き上げられる。
【００２８】
一方、余剰電力活用モードでは、制御装置３６は、夜間沸き上げ運転による沸き上げ量を通常モードの場合よりも減らす。例えば、制御装置３６は、通常モード時の必要湯量から一定量、例えば１００Ｌを減らした湯量を、夜間沸き上げ運転による沸き上げ量とする。つまり、余剰電力活用モードでは、通常モードよりも夜間沸き上げ運転による沸き上げ量が減らされることとなる。夜間沸き上げ運転による沸き上げ量が減ると、その分昼間沸き上げ運転によって沸き上げ可能な量が増える。これにより、余剰電力活用モードでは、結果的に昼間沸き上げ運転が優先されることとなる。
【００２９】
制御装置３６は、設定されている電力契約モード等に応じて、沸き上げ運転を行う際のモードを決定する。以下、フローチャートを参照して、制御装置３６が沸き上げ運転におけるモードを決定する具体的動作について説明する。
【００３０】
図２は、実施の形態１の貯湯式給湯機において、制御装置３６が沸き上げ運転におけるモードを決定する際に実行するルーチンを示すフローチャートである。図２に示すルーチンのステップＳ１では、先ず、余剰電力を活用しても良いか否かが判定される。リモコン４４には、余剰電力の活用の許可と禁止を切り替える選択手段が設けられている。ここでは、例えばユーザーがリモコン４４の選択手段から余剰電力の活用を許可する旨の選択を行なっているか否かが判定される。その結果、判定の成立が認められた場合には、次のステップＳ２に移行し、判定の成立が認められない場合には、次のステップＳ５に移行する。
【００３１】
次のステップＳ２は、現在設定されている電力契約モードが夜間時間帯優先契約に対応する夜間時間帯優先モードか否かが判定される。なお、ここでいう夜間時間帯優先契約とは、昼間沸き上げ運転よりも夜間沸き上げ運転を優先すべき電力契約を指している。このような夜間時間帯優先契約としては、例えば、夜間時間帯の電力料金単価が昼間時間帯のそれよりも安価である電力契約、通電制御型夜間蓄熱式機器割引を適用している電力契約等が該当する。その結果、判定の成立が認められた場合にはステップＳ５に移行し、判定の成立が認められない場合にはステップＳ３に移行する。
【００３２】
ステップＳ３では、翌日に余剰電力時間帯があるか否かが判定される。ここでの余剰電力時間帯は、太陽光発電設備４７から供給される電力のうちで昼間沸き上げ運転に用いる電力を確保可能な時間帯を指している。ここでは、例えば、気象予測情報に基づいて翌日の昼間時間帯の発電電力の予測値が算出される。また、エネルギー管理装置４８から送信される過去の消費電力及び発電電力の実績に基づいて、翌日の昼間時間帯に他の機器で使用される消費電力の予測値が算出される。余剰電力時間帯の有無は、昼間時間帯において、発電電力の予測値が消費電力の予測値を上回る時間帯があるか否かによって判定される。その結果、判定の成立が認められた場合にはステップＳ４へ移行し、判定の成立が認められない場合にはステップＳ５へと移行する。
【００３３】
ステップＳ４では、余剰電力を活用する余剰電力活用モードが設定される。一方、ステップＳ５では、通常モードが設定される。
【００３４】
このように、実施の形態１の貯湯式給湯機３５によれば、電力契約モード等に応じて、夜間沸き上げ運転を優先すべきか否かが判定される。これにより、電力契約に合わせて太陽光発電設備によって得られる電力を有効活用することが可能となる。
【００３５】
実施の形態１の貯湯式給湯機３５は、例えば以下のように変形した態様を採用することとしてもよい。
【００３６】
制御装置３６は、電力契約モードが夜間時間帯優先モードに設定されている場合に、夜間時間帯優先モードに設定されていない場合に比べて昼間沸き上げ運転による沸き上げ量が減るように構成されていてもよい。このような構成としては、例えば、通常モードが設定されている場合の昼間沸き上げ運転による沸き上げ量を、余剰電力活用モードが設定されている場合の昼間沸き上げ運転による沸き上げ量よりも少量に設定すればよい。これにより、夜間沸き上げ運転を優先することを望むユーザーの要求に合わすことができる。
【００３７】
制御装置３６は、電力契約モードが夜間時間帯優先モードに設定されている場合に昼間沸き上げ運転による沸き上げ量を禁止するように構成されていてもよい。このような構成としては、例えば、通常モードが設定されている場合の昼間沸き上げ運転を禁止すればよい。これにより、夜間沸き上げ運転を優先することを望むユーザーの要求に合わすことができる。
【００３８】
リモコン４４に設けられている選択手段は、通信アダプタ４６、太陽光発電設備４７、又はエネルギー管理装置４８等の他の構成に設けられていてもよい。なお、ユーザーが選択手段を操作することによって余剰電力の活用を許可している場合であっても、余剰電力が常に活用されるとは限らない。電力契約モードが夜間時間帯優先モードに設定されている場合には通常モードが設定されるため、夜間沸き上げ運転の沸き上げ量が減らされないからである。そこで、余剰電力の活用が許可されている場合において夜間時間帯優先モードに設定されている場合には、余剰電力を活用することができない旨、つまり夜間沸き上げ運転の沸き上げ量を減らさない旨をリモコン４４の表示部に表示する報知手段を備えるようにしてもよい。また、余剰電力の活用が許可されている場合において夜間時間帯優先モードに設定されていない場合には、余剰電力を活用することができる旨、つまり夜間沸き上げ運転の沸き上げ量を減らす旨をリモコン４４の表示部に表示する報知手段を備えるようにしてもよい。これにより、余剰電力の活用可否をユーザーに有効に報知することが可能となる。
【００３９】
制御装置３６は、通常モードを有効とするか無効とするかを切り替える切替手段を備えることとしてもよい。このような切替手段は、例えば、通常モードの有効と無効を切り替える手段をリモコン４４に設けることにより実現することができる。このような構成によれば、余剰電力の活用をユーザーが任意に設定することが可能となる。
【符号の説明】
【００４０】
１  圧縮機、  ３  水冷媒熱交換器、  ４  膨張弁、  ５  冷媒循環配管、  ６  空気熱交換器、  ７  ヒートポンプユニット、  ８  貯湯タンク、  ８ａ  水導入口、  ８ｂ  水導出口、  ８ｃ  温水導入口、  ８ｄ  温水導入出口、  ９  給水管路、  ９ａ  第一給水配管、  ９ｂ  第二給水配管、  ９ｃ  第三給水配管、  １０  水導出口配管、  １１  三方弁、  １２  循環ポンプ、  １３  送湯配管、  １４  ヒートポンプ往き配管、  １５  ヒートポンプ戻り配管、  １６  第一バイパス配管、  １７  第二バイパス配管、  １８  四方弁、  ２０  ふろ用熱交換器、  ２０ａ  温水導入配管、  ２０ｂ  温水導出配管、  ２１  給湯配管、  ２２  給湯用混合弁、  ２３  ふろ用混合弁、  ２４  第一給湯配管、  ２５  第二給湯配管、  ２６  ふろ用電磁弁、  ２７  ふろ往き配管、  ２８  ふろ戻り配管、  ２９  循環ポンプ、  ３０  浴槽、  ３１  減圧弁、  ３３  タンクユニット、  ３５  貯湯式給湯機、  ３６  制御装置、  ３７，３８  温度サーミスタ、  ４２，４３  温度サーミスタ、  ４４  リモコン、  ４５  ふろ用流量センサ、  ４６  通信アダプタ、  ４７  太陽光発電設備、  ４８  エネルギー管理装置
【図１】
2018204819.tif 000003
【図２】
2018204819.tif 000004